(57)【特許請求の範囲】
【請求項１】
建築構造部に固定される支持枠に取り付け可能な光源ユニットであって、
異なる形式の複数の前記支持枠の外部から前記複数の支持枠それぞれが有する環状枠体を通して前記複数の支持枠に共通に取り付け可能であり、
光源及び前記光源を収容するカバーを含む光源本体、並びに、鍛造によって成形された前記光源の発熱を放熱させる放熱部を備え、
前記放熱部は、ベース、並びに、前記ベースと一体形成された複数のフィンを有し、
各フィンの厚さは、１．０ｍｍ以下である
ことを特徴とする光源ユニット。
【請求項２】
前記フィンの厚さは、前記ベースと接続される接続端から先端に掛けて実質的に均一である
ことを特徴とする請求項１記載の光源ユニット。
【請求項３】
前記光源本体は、前記光源の配光を変換する異なる種類の複数の配光変換パネルを着脱可能に構成されている
ことを特徴とする請求項１又は２記載の光源ユニット。
【請求項４】
前記複数の配光変換パネルはそれぞれ、前記光源からの照射光の形を変換する
ことを特徴とする請求項３記載の光源ユニット。
【請求項５】
前記複数の支持枠は、ダウンライト用支持枠、ウォールウォッシャーダウンライト用支持枠、ユニバーサルダウンライト用支持枠、及びスポットライト用支持枠から選択された少なくとも２つである
ことを特徴とする請求項１〜４のいずれか１項記載の光源ユニット。
【請求項６】
環状枠体を有し、建築構造部に固定される異なる形式の複数の支持枠と、
前記複数の支持枠の外部から前記環状枠体を通して前記複数の支持枠に共通に取り付け可能な光源ユニットと
を備え、
前記光源ユニットは、光源及び前記光源を収容するカバーを含む光源本体、並びに、鍛造によって成形された前記光源の発熱を放熱させる放熱部を有し、
前記放熱部は、ベース、並びに、前記ベースと一体形成された複数のフィンを有し、
各フィンの厚さは、１．０ｍｍ以下である
ことを特徴とする照明装置。
【請求項７】
前記フィンの厚さは、前記ベースと接続される接続端から先端に掛けて実質的に均一である
ことを特徴とする請求項６記載の照明装置。
【請求項８】
前記光源本体に着脱可能であり、前記光源の配光を変換する異なる種類の複数の配光変換パネルを備える
ことを特徴とする請求項６又は７記載の照明装置。
【請求項９】
前記複数の配光変換パネルはそれぞれ、前記光源からの照射光の形を変換する
ことを特徴とする請求項８記載の照明装置。
【請求項１０】
前記複数の支持枠は、ダウンライト用支持枠、ウォールウォッシャーダウンライト用支持枠、ユニバーサルダウンライト用支持枠、及びスポットライト用支持枠から選択された少なくとも２つである
ことを特徴とする請求項６〜９のいずれか１項記載の照明装置。
【発明の詳細な説明】
【技術分野】
【０００１】
本発明は、光源ユニット及びそれを用いた照明装置に関する。
【背景技術】
【０００２】
照明装置は、事務所、小売店など様々な場所・用途に使用される。そのため、メーカーは、使用される場所・用途に最適な様々な仕様の照明装置を準備する必要がある。
【０００３】
この点に関し、予め、仕様毎に照明装置を製造し、在庫として持っておくことが考えられる。この場合、照明装置を受注後短期間で納入することができる。しかし、照明装置の仕様には演色性、色温度、配光等の多くの要素が存在し、これら全ての組み合わせについて、多くの照明装置を在庫しておくことは、コスト面、製品在庫スペ−ス等において好ましくない。また、受注後に照明装置の製造を開始することも考えられるが、この場合、在庫の問題は回避できても、当然ながら納期が長くなってしまう。
【先行技術文献】
【特許文献】
【０００４】
【特許文献１】特許第３４７３８５８号公報
【発明の概要】
【発明が解決しようとする課題】
【０００５】
本発明は、以上の点を鑑みてなされたもので、様々な仕様の照明装置を容易に構成できる光源ユニット及びそれを用いた照明装置を提供することを目的とする。
【課題を解決するための手段】
【０００６】
本発明の光源ユニットは、建築構造部に固定される支持枠に取り付け可能な光源ユニットであって、前記支持枠の外部から前記支持枠が有する環状枠体を通して前記支持枠に取り付け可能であり、光源及び前記光源を収容するカバーを含む光源本体、並びに、前記光源の発熱を放熱させる放熱部を備え、前記放熱部は、ベース、並びに、前記ベースと一体形成された複数のフィンを有し、各フィンの厚さは、１．５ｍｍ以下であることを特徴とする。
【発明の効果】
【０００７】
本発明は、様々な仕様の照明装置を容易に構成できる光源ユニット及びそれを用いた照明装置を提供することができる。
【図面の簡単な説明】
【０００８】
【図１】本発明の実施形態に係る照明装置の外観図の一例である。
【図２】同実施形態に係る照明装置の光源ユニット及び配光変換パネルの外観図の一例である。
【図３】同実施形態に係る照明装置の光源ユニットの放熱部の外観図である。
【図４】同実施形態に係る照明装置の支持枠に対する光源ユニットの取り付け方法の概要と取り付け後の外観を示す図である。
【図５】同実施形態に係る照明装置の他の支持枠に対する光源ユニットの取り付け方法の概要と取り付け後の外観を示す図である。
【図６】同実施形態に係る照明装置の他の支持枠に対する光源ユニットの取り付け方法の概要と取り付け後の外観を示す図である。
【図７】同実施形態に係る照明装置の他の支持枠に対する光源ユニットの取り付け方法の概要と取り付け後の外観を示す図である。
【図８】同実施形態に対する比較例に係る照明装置の光源ユニットの放熱部の外観図である。
【発明を実施するための形態】
【０００９】
例えば、照明装置の納期短縮を考えた場合、あらゆる照明装置の形式と光特性の組み合わせ毎に、照明装置を在庫として持っておくことが望ましい。しかし、照明装置には、ダウンライト、ウォールウォッシャーダウンライトと言った様々な形式が存在する上に、その光特性も演色性、色温度等の違いによって様々に存在する。そのため、あらゆる形式・光特性の組み合せ毎に照明装置を在庫としておくことは、コスト面、製品在庫スペ−ス等において好ましくない。一方、受注後に照明装置の製造を開始した場合、在庫の問題は解消されるが、納期の長期化が問題となる。
【００１０】
そこで、本発明の実施形態では、光特性を決定する光源部分を、複数形式の支持枠に対して共通に取り付け可能なユニットにする。こうすることで、支持枠と光源部分を別個に準備しておき、必要なときに支持枠と光源部分を組み合せれば良いため、照明装置を一体として準備しておく場合に比べ、在庫を大幅に軽減でき、コスト面、製品在庫スペ−ス等の点で有利となる。また、ユニット化した光源部分（以下、「光源ユニット」と呼ぶ）を支持枠の外部から取り付け可能にすることで、所望の形式・光特性を持つ照明装置を短期間に容易に構成することができる。
以下では、このような本実施形態に係る光源ユニットとこれを用いた照明装置について図面を参照しながら説明する。
【００１１】
先ず、本実施形態に係る照明装置の概要について説明する。
図１は、本実施形態に係る照明装置の外観図の一例である。図１は、建築構造部である天井の取付孔に取り付け可能なダウンライトの例である。なお、ここでの説明は、他の形式の照明装置についても概ね適用することができる。
【００１２】
照明装置１００は、天井の取付孔に固定されるダウンライト用支持枠１１０（以下、単に「支持枠」と呼ぶ）と、この支持枠１１０に取り付けられる光源ユニット１２０を備える。
【００１３】
支持枠１１０は、天井の取付孔の内面を覆う環状枠体１１１と、天井の取付孔に嵌合する３つの取付バネ１１２を有する。取付バネ１１２は、環状枠体１１１に対して円周等間隔で取り付けられている。また、支持枠１１０は、光源ユニット１２０を取り付ける環状の取付部１１３と、この取付部１１３を環状枠体１１１に固定する２つの取付部アーム１１４を有する。
【００１４】
図２は、本実施形態に係る照明装置の光源ユニット及び配光変換パネルの外観図の一例である。
光源ユニット１２０は、光源であるＬＥＤ、及びこのＬＥＤを収容し保護するためのカバーを含む光源本体１２１と、ＬＥＤの発熱を放熱させる放熱部１２２を有する。
【００１５】
光源本体１２１の下端には開口部１２１ａが形成されている。この開口部１２１ａには、図２の矢印で示すように、円盤状の配光変換パネル１３０を嵌合させることができる。この配光変換パネル１３０は、ＬＥＤからの照射光を所定の配光及び所定の形に変換するものである。様々な種類の配光変換パネル１３０を用意しておけば、照明装置１００の照射光の配光及び形を容易に変更することができる。また光源本体１２１の側面状部には、凹部１２１ｂが形成されている。この凹部１２１ｂを支持枠１１０の取付部１１３の内面に形成された凸部に嵌合させることで、光源ユニット１２０を支持枠１１０に固定することができる。
【００１６】
次に、放熱部１２２について詳述する。
図３は、本実施形態に係る照明装置の光源ユニットの放熱部の外観図である。
放熱部１２２は、放熱部１２２を光源本体１２１の上面に固定する円盤状のベース１２２ａと、このベース１２２ａの上面に形成された複数のフィン１２２ｂを持つ。複数のフィン１２２ｂは、ベース１２２ａ上面の中心から放射状に広がるように形成されている。
【００１７】
この放熱部１２２は、鍛造によって成形することができる。つまり、底部に複数のフィン１２２ｂに対応する凹部が製作されたダイスに対して放熱部１２２の純度の高いアルミニウム等からなる金属材料を押し込み、パンチを用いて凹部の加工方向に金属材料を押し付ける。その際、パンチの先端をダイスの底面まで押し付けずにベース１２２ａの厚みだけ空けておくことで、ベース１２２ａ及び複数のフィン１２２ｂを一体成形することができる。
ここで、以上のように成形された放熱部１２２の効果を説明する前提として、比較例の放熱部５２２について説明しておく。
【００１８】
図８は、本実施形態に対する比較例に係る照明装置の光源ユニットの放熱部の外観図である。
放熱部５２２は、本実施形態の放熱部１２２と同程度の放熱能力を持っており、アルミダイキャスト製となっている。
アルミダイキャストの場合、溶解した金属材料（アルミニウム）を金型に流しこんで成形するため、溶解した金属材料の流動性を確保する観点から、各フィンをある程度厚く形成する必要がある。図８の場合、各フィンの厚さが２．５ｍｍになる。また、金型からの金属材料の型抜きを容易にするため、フィンの側面に対して抜き勾配（テーパ）を付ける必要もある。したがって、各フィンがある程度大きくなってしまう。更に、成形過程において金属材料の内部に気泡ができてしまう。その結果、金属材料が本来持つ強度及び熱伝導性が損なわれてしまう。以上の理由から、アルミダイキャスト製による放熱部５２２の場合、全体的に大きく、重くなってしまう。
【００１９】
その点、本実施形態の放熱部１２２は、前述の通り、鍛造によって成形されている。そして鍛造の場合、鋳造の場合のような溶解した金属材料の流動性の問題がないため、図３に示すように、各フィン１２２ｂの厚みを１．５ｍｍ程度以下に薄く形成することができる。図３の例の場合、各フィン１２２ｂの厚みは１．０ｍｍとなっており、放熱部５２２と比べて、各フィンの厚さを１．５ｍｍも薄くすることができる。また、鍛造の場合、鋳造の場合のような型抜きの問題もないため、図３に示すように、ベース１２２ａとの接続端（下端）から先端（上端）に掛けて実質的に均一な厚さを持つフィン１２２ｂを形成することができる。したがって、本実施形態の場合、放熱部５２２に比べ、各フィン１２２ｂを小さく形成することができる。更に、鍛造の場合、鋳造の場合とは異なり、成形過程で金属材料の内部に気泡が生じない。また、前述の成形方法を用いることで、フィン１２２ｂをベース１２２ａと一体成形できるため、後からベース１２２ａとフィン１２２ｂを接合する必要がない。その結果、本実施形態の成形方法によれば、比較例の場合と比べて、金属材料が本来有する熱伝導性の損失を小さくすることができる。以上から、鍛造で製造した本実施形態の放熱部１２２は、全体的に小さく、軽くなる。具体的には、図８の放熱部５２２の直径が９３．６ｍｍであるのに対し、図３の放熱部１２２の直径は６８ｍｍとなっており、約２６ｍｍも小さくできる。
【００２０】
比較例のように、アルミダイキャスト製の放熱部５２２を用いた場合、当然、光源ユニットも大きくなる。その結果、実用的な支持枠のサイズを考慮すると、光源ユニットを完成体の支持枠の外部から支持枠の内部に取り付けることは困難である。換言すれば、光源ユニットを支持枠の製造途中において支持枠内部に取り付けておかなければならない。
【００２１】
一方、本実施形態の場合、放熱部１２２が小さいため、それを用いた光源ユニット１２０も小さくできる。そのため、実用的なサイズを持つ支持枠１１０に対して、その外部から光源ユニット１２０を取り付けることが可能となる。これによって、様々な仕様の光源を持つ様々な形式の照明装置を容易に構成することが可能となる。
【００２２】
次に、光源ユニット１２０を用いた照明装置の構成方法について説明する。
図４〜７は、本実施形態に係る照明装置の支持枠に対する光源ユニットの取り付け方法の概要（図中Ａ）と取り付け後の外観（図中Ｂ）を示す図である。図４はダウンライト、図５はウォールウォッシャーダウンライト、図６はユニバーサルダウンライト、図７はスポットライトの場合を示している。
【００２３】
照明装置は、前述の通り、支持枠、光源ユニット、及び配光変換パネルで構成される。
支持枠は、照明装置の形式毎にダウンライト用支持枠１１０、ウォールウォッシャーダウンライト用支持枠２１０、ユニバーサルダウンライト用支持枠３１０、スポットライト用支持枠４１０があり、これらを選択することで照明装置の形式を決定することができる。
【００２４】
光源ユニット１２０は、全ての形式の支持枠に共通に取り付けることができる。光源ユニット１２０は、光源の仕様の違いによって複数用意されており、光源ユニット１２０を選択することで、照明装置の色温度、演色性を決定することができる。同様に、配光変換パネル１３０は、配光の仕様の違いによって複数用意されており、全ての配光変換パネル１３０は、光源ユニット１２０に共通に嵌合させることができる。配光変換パネル１３０を選択することで、照明装置の光の広がり、光の形を決定することができる。
【００２５】
本実施形態の場合、光源ユニット１２０を小型化したことで、図４〜７の矢印で示すように、支持枠１１０〜４１０の環状枠体を通して光源ユニット１２０を支持枠内部に取り付けることができる。そのため、比較例の放熱部５２２を用いた光源ユニットを用いる場合に比べて、照明装置の構成が容易となる。その結果、在庫数の軽減、納期の短縮が図れるだけでなく、照明装置設置後の光源の仕様変更も可能となる。更に、比較例と比べて、光源ユニット１２０を軽くできるため、照明装置が固定される天井、レール等の建築構造部の負担軽減にも繋がる。
【００２６】
以上から、本実施形態によれば、様々な種類の照明装置を容易に構成できる光源ユニット及びそれを用いた照明装置を提供することができる。
【００２７】
なお、ここまで、発明の実施形態の一例を説明したが、本発明はこれらに限定されるものではなく、発明の趣旨を逸脱しない範囲内において、種々の変更、追加等が可能である。
【符号の説明】
【００２８】
１００・・・ダウンライト、１１０・・・ダウンライト用支持枠、１１１・・・環状枠体、１１２・・・取付バネ、１１３・・・取付部、１１４・・・取付部アーム、１２０・・・光源ユニット、１２１・・・光源本体、１２２・・・放熱部、１３０・・・配光変換パネル、２００・・・ウォールウォッシャーダウンライト、２１０・・・ウォールウォッシャーダウンライト用支持枠、３００・・・ユニバーサルダウンライト、３１０・・・ユニバーサルダウンライト用支持枠、４００・・・スポットライト、４１０・・・スポットライト用支持枠。
【要約】
【課題】本発明は、様々な仕様の照明装置を容易に構成できる光源ユニット及びそれを用いた照明装置を提供することを目的とする。
【解決手段】本発明の光源ユニットは、建築構造部に固定される支持枠に取り付け可能な光源ユニットであって、前記支持枠の外部から前記支持枠が有する環状枠体を通して前記支持枠に取り付け可能であり、光源及び前記光源を収容するカバーを含む光源本体、並びに、前記光源の発熱を放熱させる放熱部を備え、前記放熱部は、ベース、並びに、前記ベースと一体形成された複数のフィンを有し、各フィンの厚さは、１．５ｍｍ以下であることを特徴とする。
【選択図】図４【図１】
0005698861.tif 000002
【図２】
0005698861.tif 000003
【図３】
0005698861.tif 000004
【図４】
0005698861.tif 000005
【図５】
0005698861.tif 000006
【図６】
0005698861.tif 000007
【図７】
0005698861.tif 000008
【図８】
0005698861.tif 000009